【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
内部に投影装置を収納した装置本体と；
前記投影装置からの画像を投影するスクリーン部材と；
前記スクリーン部材と前記投影装置との間に設けられ、測光調整時には前記投影装置からの投射光を受光し、通常使用時は前記投影装置からの投射光外へ手動または電動により移動可能な受光センサを備えたことを特徴とするプロジェクタ装置。
【請求項２】
請求項１のプロジェクタ装置と；
このプロジェクタ装置を複数個配列して収納している筐体と；
プロジェクタ装置のスクリーン部材に表示させる映像の映像信号を発生させる映像信号発生装置と；
映像信号発生装置の映像信号を各プロジェクタ装置に割り当てて送出するように構成された映像信号処理装置と；
を具備していることを特徴とする大型映像装置。
【手続補正２】
【補正対象書類名】明細書
【補正対象項目名】０００６
【補正方法】変更
【補正の内容】
【０００６】
一方、天井吊り下げ式のプロジェクタ装置を横方向に配置した場合のスクリーン部材の上下方向の位置調整は、装置本体を取り付けるための取付金具を調整することにより位置合わせを行うことになるので、調整の度にプロジェクタ装置の装置本体を取り外さなければならない。したがって、位置調整の作業の負担が大きい。また、プロジェクタ装置は経年劣化などによる輝度低下や色調変化を生じ複数のプロジェクタ装置の輝度や色調の均整度の調整が必要となる。特に、複数のプロジェクタ装置を縦横に配列して、スクリーン部材を繋いで大画面を構成するマルチスクリーンの場合には、各々のプロジェクタ装置の輝度や色調の均整度を調整することが必要となる。すなわち、プロジェクタ装置は経年劣化などによる輝度低下や色調変化を生じ複数のプロジェクタ装置の輝度や色調の均整度の調整が必要となる。
【手続補正３】
【補正対象書類名】明細書
【補正対象項目名】０００７
【補正方法】変更
【補正の内容】
【０００７】
本発明の目的は、経年劣化などによる輝度低下や色調変化を生じても輝度や色調の均整度の調整を行うことができるプロジェクタ装置および大型映像装置を提供することである。
【手続補正４】
【補正対象書類名】明細書
【補正対象項目名】０００８
【補正方法】変更
【補正の内容】
【０００８】
請求項１の発明に係わるプロジェクタ装置は、内部に投影装置を収納した装置本体と；前記投影装置からの画像を投影するスクリーン部材と；前記スクリーン部材と前記投影装置との間に設けられ、測光調整時には前記投影装置からの投射光を受光し、通常使用時は前記投影装置からの投射光外へ手動または電動により移動可能な受光センサを備えたことを特徴とする。
【手続補正５】
【補正対象書類名】明細書
【補正対象項目名】００１０
【補正方法】変更
【補正の内容】
【００１０】
スクリーン部材は、投影装置からの画像や文字情報を映像するものであり、透光性部材で形成される。透光性部材は、例えばアクリル樹脂で形成される。そして、スクリーン部材は、少なくとも２種類以上の透光性部材を積層して形成され、例えば、フレネルレンズスクリーンを投影装置側に設置し、レンチキュラースクリーンを外側に設置して形成される。フレネルスクリーンとレンチキュラースクリーンとの２枚構成の場合には、レンチキュラースクリーンには拡散材を混入して、このレンチキュラースクリーン上に投影装置から投射した映像を結像させる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
次に、受光センサは、スクリーン部材と投影装置との間に設けられ、測光調整時には投影装置からの投射光を受光し、通常使用時は投影装置からの投射光外へ手動または電動により移動可能に構成されている。
【手続補正１８】
【補正対象書類名】明細書
【補正対象項目名】００２３
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
請求項２の発明に係わる大型映像装置は、請求項１乃至請求項５のいずれか一記載のプロジェクタ装置と；このプロジェクタ装置を複数個配列して収納している筐体と；プロジェクタ装置のスクリーン部材に表示させる映像の映像信号を発生させる映像信号発生装置と；映像信号発生装置の映像信号を各プロジェクタ装置に割り当てて送出するように構成された映像信号処理装置と；を具備していることを特徴とする。
【手続補正２３】
【補正対象書類名】明細書
【補正対象項目名】００３０
【補正方法】変更
【補正の内容】
【００３０】
本発明によれば、各々のプロジェクタ装置のスクリーン部材の上下縦横を合わせることができ、請求項１の効果を有した大型映像装置を提供できる。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】変更
【補正の内容】
【００３４】
請求項１の発明によれば、プロジェクタ装置の内部に受光センサを配置し、輝度や色調の均整度の調整の際には投影装置からの光を受光し、通常使用時は投影装置からの投射光が当たらない位置へ受光センサを移動させて投影装置からの光を遮るのを防止するので、輝度や色調の均整度の調整のためのカメラを外部に設置することが不要となる。
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】変更
【補正の内容】
【００３６】
請求項２の発明によれば、各々のプロジェクタ装置のスクリーン部材の上下縦横を合わせることができ、請求項１の効果を有した大型映像装置を提供できる。
【手続補正３０】
【補正対象書類名】明細書
【補正対象項目名】００３７
【補正方法】変更
【補正の内容】
【００３７】
以下、本発明の一実施の形態について図面を参照して説明する。まず、本発明の第１の実施の形態の基本構成について説明する。図１〜図４は、本発明の第１の実施の形態を示し、図１はプロジェクタ装置の分解斜視図、図２はプロジェクタ装置の側面断面図、図３はスクリーン枠の分解斜視図、図４は前後位置調整ネジの説明図である。
【手続補正３１】
【補正対象書類名】明細書
【補正対象項目名】００４８
【補正方法】変更
【補正の内容】
【００４８】
このように、先端部がスクリーン枠４の背面に接して螺入出によりスクリーン枠４の位置を変化させてスクリーン部材３の前後位置調整を行うための前後位置調整ネジ７を装置本体２に螺着させたので、スクリーン部材３の調整が容易に行える。また、前後位置調整ネジ７は装置本体２と一体になった調整治具であり、スクリーン枠４を装置本体２に取り付けるための嵌め込み部材とは別に設けているので、適正にスクリーン部材４の位置調整ができ、調整のための作業時間も短縮できる。前後位置調整ネジ７のネジ頭部にはマーク１７ａ、１７ｂを付けているので、前後位置調整ネジ７の螺入出位置が容易に分かる。
【手続補正３２】
【補正対象書類名】明細書
【補正対象項目名】００５１
【補正方法】変更
【補正の内容】
【００５１】
図５は本発明の第１の実施の形態に係わるプロジェクタ装置の基本構成の他の一例の説明図であり、図５（ａ）は斜視図、図５（ｂ）は図５（ａ）のＡ部拡大図、図６は図５（ａ）のＢ−Ｂ’線での断面図である。この第２の実施の形態は、図１〜図４に示した第１の実施の形態に対し、天井面への装置本体取付具１９にスクリーン部材３の上下方向の取付位置を調節するための上下位置調整ネジ２０を取り付けたものである。
【手続補正３３】
【補正対象書類名】明細書
【補正対象項目名】００５４
【補正方法】変更
【補正の内容】
【００５４】
このように、上下位置調整ネジ２０の先端部が装置本体取付具１９の背面に接して螺入出により装置本体２の取付位置を変化させてスクリーン部材３の上下位置調整を行うので、スクリーン部材３の調整が容易に行える。また、上下位置調整ネジ２０は装置本体２と一体になった調整治具であり、Ｌ金具２１に装置本体を取り付けるための取付ネジ２２とは別に設けているので、適正にスクリーン部材３の位置調整ができ、調整のための作業時間も短縮できる。
【手続補正３４】
【補正対象書類名】明細書
【補正対象項目名】００５５
【補正方法】変更
【補正の内容】
【００５５】
図７は本発明の第１の実施の形態に係わるプロジェクタ装置の構成図であり、図７（ａ）はプロジェクタ装置１の上部切欠平面図、図７（ｂ）は測光調整時の受光センサの配置位置の説明図である。この第１の実施の形態は、図１〜図４に示したプロジェクタ装置の基本構成の一例または図５および図６に示したプロジェクタ装置の基本構成の他の一例に対し、スクリーン部材３と投影装置９との間に測光調整用の受光センサ２３を設けたものである。
【手続補正３５】
【補正対象書類名】明細書
【補正対象項目名】００５７
【補正方法】変更
【補正の内容】
【００５７】
そこで、装置本体２内部のスクリーン部材３と投影装置９との間に可動式の受光センサ２３を設け、測光調整時には、図７（ａ）、図７（ｂ）に示すように、投影装置９からの投射光が当たる位置に受光センサ２３を移動させて投影装置２３からの光を受光する。受光センサ２３で測光した光は制御部２４に入力され輝度や色調の均整度のデータ処理が行われる。制御部２４のデータ処理の結果に基づき輝度や色調の調整が行われる。なお、受光センサ２３は手動または電動により可動式となっている。
【手続補正３６】
【補正対象書類名】明細書
【補正対象項目名】００５９
【補正方法】変更
【補正の内容】
【００５９】
図９は、本発明の第２の実施の形態を示す大型映像装置のブロック図である。図９に示す大型映像装置２５は、複数のプロジェクタ装置１、筐体２６、映像信号発生装置２８および映像信号処理装置２９を有して構成されている。筐体２６は、複数個のプロジェクタ装置１を縦横に配列して収納しているものであり、前面に各プロジェクタ装置１のスクリーン部材３により大型のスクリーン２７を形成している。
【手続補正３７】
【補正対象書類名】明細書
【補正対象項目名】００６１
【補正方法】変更
【補正の内容】
【００６１】
図１０は、本発明の第２の実施の形態を示す大型映像装置２５における受光センサの配置位置の説明図であり、図１０（ａ）は測光調整時の受光センサ２３の配置位置の説明図、図１０（ｂ）は通常使用時の受光センサ２３の配置位置の説明図である。図１０（ａ）、図１０（ｂ）に示すように、隣り合うプロジェクタ装置１の境界に可動式の受光センサ２３を配置し、測光調整時には投影装置９からの投射光を受光し、通常使用時は投影装置９からの投射光外へ移動させ投影装置９からの投射光の妨げとならないようにする。これにより、大型映像装置２５のスクリーンに対しても輝度や色調の均整度の調整のためのカメラを外部に設置することなく、輝度や色調の調整ができる。
【手続補正３８】
【補正対象書類名】明細書
【補正対象項目名】００６２
【補正方法】変更
【補正の内容】
【００６２】
第２の実施の形態によれば、各々のプロジェクタ装置１のスクリーン部材３の上下縦横を合わせることができ、輝度や色調の調整も容易に行うことができる大型映像装置２５を提供できる。
【手続補正３９】
【補正対象書類名】明細書
【補正対象項目名】００６３
【補正方法】変更
【補正の内容】
【００６３】
【図１】本発明の第１の実施の形態に係わるプロジェクタ装置の基本構成の分解斜視図。
【図２】本発明の第１の実施の形態に係わるプロジェクタ装置の基本構成の側面断面図。
【図３】本発明の第１の実施の形態におけるスクリーン枠の分解斜視図。
【図４】本発明の第１の実施の形態における前後位置調整ネジの説明図。
【図５】本発明の第１の実施の形態に係わるプロジェクタ装置の基本構成の他の一例の説明図。
【図６】図５（ａ）のＢ−Ｂ’線での断面図。
【図７】本発明の第１の実施の形態に係わるプロジェクタ装置の説明図。
【図８】本発明の第１の実施の形態における通常使用時の受光センサの配置位置を示した状態図。
【図９】本発明の第２の実施の形態を示す大型映像装置のブロック図。
【図１０】本発明の第２の実施の形態を示す大型映像装置における受光センサの配置位置の説明図。